(57)【要約】【課題】露光処理に係る機器の冷却効果を低下させることなく、静音化を図れる写真処理装置を提供する。【解決手段】本発明は、区画された室内に、露光処理に係る制御基板を収容するボックス体と、露光処理される感光材料を搬送するための感光材料搬送機構とを配設している写真処理装置であって、前記ボックス体には、外部から空気を取り込こむための吸気口と、取り込んだ空気を排気するための排気口と、前記吸気口から前記排気口に向かう気流を生じさせると共に、該排気口から前記感光材料搬送機構側に向かう気流を生じさせる排気ファンとが設けられている、ことを特徴とする。【選択図】図５
2007163572.tif 000002
【特許請求の範囲】
【請求項１】
区画された室内に、露光処理に係る制御基板を収容するボックス体と、露光処理される感光材料を搬送するための感光材料搬送機構とを配設している写真処理装置であって、
前記ボックス体には、外部から空気を取り込こむための吸気口と、取り込んだ空気を排気するための排気口と、前記吸気口から前記排気口に向かう気流を生じさせると共に、該排気口から前記感光材料搬送機構側に向かう気流を生じさせる排気ファンとが設けられている、
ことを特徴とする写真処置装置。
【発明の詳細な説明】
【技術分野】
【０００１】
本発明は、外気を吸引して露光処理に係る機器を空冷する機構を備えた写真処理装置に関する。
【背景技術】
【０００２】
一般的な写真処理装置は、マガジンから引き出され、所定の長さに切断された感光材料に対して露光処理を行う露光処理装置と、露光処理後の感光材料に対して現像処理及び乾燥処理を行う現像処理装置とを備えている。
【０００３】
通常、現像処理装置には、現像処理で使用する種々の処理液（現像液、漂白・定着液、安定液、洗浄液）から発生するガスを外部に排気するための排気ファンが備えられている。
【０００４】
一方、露光処理装置では、発熱性の高い露光エンジンや制御基板を備え、また、一定の空気温度を超えると弊害（例えば、プリント濃度のムラ）が生じ易くなる感光材料搬送系を備えるため、外気を吸い込むための吸気口、外部に排気するための排気ファンを設けることで、強制的に空気の流れを起こし、これにより、露光エンジンや制御基板を冷却してこれらの誤動作を防止し、加えて、装置内の温度を適温に維持して、感光材料搬送系を正確に機能させている。また、前述した現像処理装置側で発生するガスの流入を防ぐため、専用のファンを内部に設け、露光処理装置内を正圧に維持している。
【発明の開示】
【発明が解決しようとする課題】
【０００５】
このように、従来の写真処理装置では、露光処理装置に吸気口、排気ファンを設けることで空冷を行っているが、熱交換を行った空気を外部に排気することから、前記排気ファンの回転音や風切り音が強く発生し、オペレータにとっては、耳障りな騒音となっていた。
【０００６】
本発明は、上記問題を解決すべくなされたものであり、露光処理に係る機器の冷却効果を低下させることなく、静音化を図れる写真処理装置を提供することを目的とする。
【課題を解決するための手段】
【０００７】
本発明に係る写真処理装置は、区画された室内に、露光処理に係る制御基板を収容するボックス体と、露光処理される感光材料を搬送するための感光材料搬送機構とを配設している写真処理装置であって、前記ボックス体には、外部から空気を取り込こむための吸気口と、取り込んだ空気を排気するための排気口と、前記吸気口から前記排気口に向かう気流を生じさせると共に、該排気口から前記感光材料搬送機構側に向かう気流を生じさせる排気ファンとが設けられている、ことを特徴とする。
【０００８】
上記構成の写真処理装置によれば、外部から取り込んだ空気によりボックス体に収容された制御基板を確実に冷却でき、また、前記ボックス体が前記室内に空気を供給する一種のダクトとして機能するため、これにより室内の温度が適温に保たれ、前記感光材料搬送機構を正確に機能させることができる。
【０００９】
また、前記排気ファンが室内に設置されるため、ファンの回転音や風切り音が抑制でき、静音性に優れる。
【００１０】
さらに、前記排気ファンにより室内に一定以上の空気圧が生じるため、従来のように室内を正圧に維持するための専用ファンを設ける必要がない。したがって、一層の静音化が図れると共に、省電力化も図れる。
【００１１】
尚、当該室内に排気された空気は、感光材料を搬送するための連通孔等を介して現像処理装置側へと流入し、該現像処理装置が通常備えるガス排気用のファンにより外部に排気されることになる。
【発明の効果】
【００１２】
以上の如く、本発明の写真処理装置によれば、冷却効果を低下させることなく、空冷用ファンの作動による騒音を極力抑えることができ、しかも省電力化も図れる。
【発明を実施するための最良の形態】
【００１３】
以下、本発明の一実施形態について図面を参酌しつつ説明する。
【００１４】
図１は、本実施形態に係る写真処理装置１の外観図であり、図２は、該写真処理装置１の内部構成を示すブロック図である。
【００１５】
かかる写真処理装置１について具体的に説明すると、写真処理装置１は、感光材料Ｐを露光処理するための露光処理装置Ｒと、露光処理装置Ｒから受け取った露光済みの感光材料Ｐを現像処理し、その後乾燥処理を行う現像処理装置Ｇとを備えている。
【００１６】
より詳細には、露光処理装置Ｒは、筐体２内に、該写真処理装置１の全体の制御を行う制御部１０の一部と、画像データを基に感光材料Ｐに露光処理を施す露光処理部２０とを備える。また、現像処理装置Ｇは、筐体３内に、露光処理装置Ｒから受け取った露光処理部２０で露光処理された感光材料Ｐに対して現像処理を施す現像処理部３０と、現像処理された感光材料Ｐを乾燥処理する乾燥処理部４０とを備えている。そして、これら筐体２及び３は、一体的に連結されている。
【００１７】
筐体２は、図３に示すように、内部空間が複数の区画に分割されている。本実施形態において前記内部空間は、縦方向に区切られている。即ち、縦方向に複数の層となるように分割されており、上から順に第一区画５００、第二区画５０１、第三区画５０２の三つの区画（層）に分割されている。
【００１８】
第一区画５００には、後述する写真処理装置１の制御部１０（図２参照）の一部が内設される。本実施形態において、第一区画５００には、汎用パソコンの本体部が内設される。
【００１９】
第二区画５０１は、筐体２の上面側が開口するように形成されている。そして、底部内面には、第三区画５０２内まで貫通している図示しないスリットが設けられている。より詳細には、該スリットは、第二区画５０１に内設される後述の露光エンジンＥｎ（図２参照）からの光線を第三区画５０２へ送るためのものである。そして、一本の直線状のスリット（細隙）として形成され、開口部は、感光材料Ｐを露光するための照射光が透過可能となるよう、透明な部材によって塞がれている。
【００２０】
第三区画５０２は、筐体２の前面側が開口するように形成されている。この開口の側部には、一辺（本実施形態においては、正面視左側の側辺）を軸に回動することで前記開口を開閉できる扉（図示せず）が取り付けられている。この第三区画５０２には、後述する露光エンジンＥｎを除く露光処理部２０（図２参照）が内設される。また、吸気部２８０、第一ボックス２８１、排気部２８５及び第二ボックス２８６は、一種の空冷手段を構成しているが、その詳細については後述する。
【００２１】
図２に戻り、制御部１０は、各種処理状況や操作案内等を表示するモニタ１００と、該モニタ１００の表示に基づいて入力操作を行うための入力手段１０１と、露光処理部２０で感光材料Ｐに露光処理を行うための画像データを読み取る読取手段１０２と、露光処理を行うに際し、各処理や写真処理装置１の実質的な制御を行う演算処理装置１０３とを備えている。
【００２２】
モニタ１００には、ブラウン管モニタあるいは液晶モニタを採用することができ、本実施形態においてはブラウン管モニタが採用されている。入力手段１０１には、キーボード１０１ａとマウス１０１ｂとが採用されている。
【００２３】
本実施形態に係る読取手段１０２には、帯状のフィルムＦに形成された複数の駒画像を読み取るフィルムスキャナ１０２ａと、ＣＤ−Ｒ／ＲＷやメモリカード等の各種メディアからデータ（例えば、画像データ）を読み込むメディアドライブ１０２ｂとが採用されている。前記フィルムスキャナ１０２ａは、フィルムＦを長手方向に搬送しつつ、フィルムＦから各駒画像を画像データとして順々に読み取るようになっており、読み取った各画像データを演算処理装置１０３に伝送するようになっている。演算処理装置１０３は、実質的な演算を行うＣＰＵ１０４、該ＣＰＵ１０４に演算を実行させるためのソフトウェア等が記憶されるＲＡＭ１０５やＲＯＭ１０６等から構成されており、Ｉ／Ｏインターフェース（図示せず）を介してモニタ１００や読取手段１０２（１０２ａ，１０２ｂ）と電気的に接続している。本実施形態において、演算処理装置１０３は、汎用パソコンが使用されている。
【００２４】
露光処理部２０は、ロール状にされた長尺な感光材料Ｐを収納するマガジン２００ａと、該マガジン２００ａから引き出された感光材料Ｐを所定の長さで切断する切断装置２０１と、該切断装置２０１により切断された感光材料Ｐを露光処理する露光部２０２と、露光処理部２０内の各構成間で感光材料Ｐを搬送し、マガジン２００ａから引き出された感光材料Ｐを下流側（現像処理装置Ｇ）に搬送するための搬送系２０３（感光材料搬送機構）とを備えている。
【００２５】
マガジン２００ａは、ロール状にした感光材料Ｐを軸支可能に構成され、感光材料Ｐを長手方向に円滑に引き出せるようになっている。尚、本実施形態において、マガジン２００ａに収納される感光材料Ｐは、乳剤面を外側にして芯材に対してロール状に巻かれている。
【００２６】
本実施形態に係る写真処理装置１は、制御部１０及び露光処理部２０を備える筐体２に対し、オプション（追加）のマガジン２００ｂを収容するための補助筐体４を連結できるようになっている。そして、補助筐体４を筐体２に連結することで、筐体２内に収容したマガジン２００ａから引き出される感光材料Ｐの搬送経路に対し、オプションのマガジン２００ｂから引き出される感光材料Ｐの搬送経路が合流するようになっている。尚、図示しないが、上述の搬送経路の合流部分には、搬送経路を切り換えるための搬送経路切換機構が設けられており、マガジン２００ａ、２００ｂの何れか一方から引き出された感光材料Ｐを下流側に搬送できるようになっている。
【００２７】
切断装置２０１は、一対のカッター２０４ａ，２０４ｂを備えており、該一対のカッター２０４ａ，２０４ｂを接離させることで、マガジン２００ａ，２００ｂから引き出されて搬送経路Ｘ上で搬送される感光材料Ｐを所定サイズに切断するようになっている。
【００２８】
露光部２０２は、感光材料Ｐを搬送する露光部搬送系２０５と、露光部搬送系２０５で搬送される感光材料Ｐの乳剤面を露光するための光学系２０６とを備えている。この光学系２０６は、上述の筐体２における第二区画５０１（図３参照）の底部に設けられた前記スリットを介して送られてくる、第二区画５０１内に配置されている露光エンジンＥｎから照射された光線を露光面に照射するためのものである。
【００２９】
本実施形態に係る露光エンジンＥｎは、レーザー光源（図示しない）や、該レーザー光源からのレーザー光を露光領域Ａにまで導く光学系（例えば、ポリゴンミラーやレンズ：図示しない）等を備えた、いわゆるレーザーエンジンが採用されている。尚、露光エンジンＥｎには、ハロゲンランプ等からなる光源と、該光源に光ファイバー束を介して接続された光シャッター（ＰＬＺＴ）とで構成されたものであってもよい。
【００３０】
この露光エンジンＥｎは、上述のように、多数の各種電子部品等によって構成されており、かかる電子部品等は、基板に固定されている。この基板は、筐体２の第二区画５０１（図３参照）に内設され、該第二区画５０１内面の導電体と前記基板とがアース線（図示せず）で連結されている。
【００３１】
露光部搬送系２０５は、感光材料Ｐに対する露光領域Ａを挟んで上流側及び下流側に配設された二組のローラ対２０７，２０８で構成されており、感光材料Ｐを横方向（略水平方向）に搬送するようになっている。
【００３２】
搬送系２０３は、マガジン２００ａから切断装置２０１まで感光材料Ｐを搬送する第一搬送系２１０と、切断装置２０１で切断された感光材料Ｐを露光ユニット２０２まで搬送する第二搬送系２２０と、露光部２０２で露光処理中の感光材料Ｐを受け取った後に、その感光材料Ｐを下流側の現像処理装置Ｇに搬送する第三搬送系２３０とで構成されている。
【００３３】
第一搬送系２１０は、複数のローラ対が感光材料Ｐの搬送経路Ｘに沿って配設されて構成され、各ローラ対の一方のローラ（例えば、下方側のローラ）を駆動することによって、感光材料Ｐを下流側（第二搬送系２２０）に向けて搬送するようになっている。
【００３４】
第二搬送系２２０は、第一搬送系２１０によって送られてくる感光材料Ｐの先端部を把持する第一把持機構２２１と、切断装置２０１の直下流側と露光部２０２の直上流側とに跨るように設けられ、第一把持機構２２１と切断装置２０１と露光部２０２との間で略直線状の軌道（略水平状の軌道）上で案内するガイドレール２２２と、第一把持機構２２１をガイドレール２２２に沿って往復移動させる駆動系（図示しない）とを備えている。かかる第二搬送系２２０は、第一搬送系２１０とは異なり、感光材料Ｐの先端部を第一把持機構２２１に把持させた状態で、該第一把持機構２２１を下流側に移動させることで、感光材料Ｐを搬送するようになっている。
【００３５】
第三搬送系２３０は、露光処理部２０と下流側の現像処理部３０（現像処理装置Ｇ）との間で感光材料Ｐを受け渡す役目を担うもので、露光処理を終えて略水平方向に搬出される感光材料Ｐを受け取り、その表裏を反転させ（いわゆる「スイッチバック」）、縦向きにした状態で上方に移動させ、下流側（現像処理装置Ｇ）に送り出すようになっている。
【００３６】
現像処理部３０は、第三搬送系２３０を介して送り込まれてくる感光材料Ｐに対して現像処理を施すためのもので、現像処理液が貯留される現像処理液槽３０１と、該現像処理液槽３０１内の現像処理液に対して感光材料Ｐを浸漬して引き上げる動作を繰り返すように、感光材料Ｐを搬送する搬送系３００とを備えている。現像処理液槽３０１は、複数の液槽３０１ａ，３０１ｂ，…が横並びに配置されることで構成されている。
【００３７】
各液槽３０１ａ，３０１ｂ，…には、感光材料Ｐに対して現像処理、漂白処理、定着処理、安定処理を行うための現像処理液が貯留されている。即ち、各液槽３０１ａ，３０１ｂ，…には、上流側から順に現像液（ＣＤ）、漂白・定着液（ＢＦ）、安定液（ＳＴＢ）、洗浄液が貯留されている。前記搬送系３００は、現像処理液槽３０１（各液槽３０１ａ，３０１ｂ，…）の現像処理液（現像液、漂白・定着液、安定液、洗浄液）中で感光材料Ｐを搬送する液中搬送系３００ａと、各液槽３０１ａ，３０１ｂ，…から引き上げられた感光材料Ｐを下流側で隣接する液槽３０１ａ，３０１ｂ，…内に導きつつ搬送する外部搬送系３００ｂとで構成されており、各搬送系３００ａ，３００ｂのそれぞれは、複数のローラ対（採番しない）により構成されている。
【００３８】
乾燥処理部４０は、現像処理部３０から送られてきた感光材料Ｐに熱風を吹き付け、感光材料Ｐに付着した現像処理液（水分）を乾燥させるようになっている。
【００３９】
以上の構成からなる本実施形態の写真処理装置１は、上述の筐体２（図３参照）における第三区画５０２に配設される吸気部２８０、第一ボックス２８１、排気部２８５及び第二ボックス２８６が、一種の空冷手段を構成している点に特徴を有する。以下、かかる特徴について図３〜図５を参照しつつ詳細に説明する。
【００４０】
吸気部２８０は、第一ボックス２８１に設けられた吸気口２８２に連結し、その内部に図示しない防塵用のエアーフィルタを収容している。
【００４１】
第一ボックス２８１は、直方体状に形成され、その内部に露光処理部２０に係る各種処理を制御するための各種電子部品を搭載した第一制御基板２８３を収容している。
【００４２】
第二ボックス２８６は、第一ボックス２８１と同様に直方体状に形成され、その内部に露光処理部２０に係る各種処理を制御するための各種電子部品を搭載した第二制御基板２８８を収容している。また、第二ボックス２８６には、取り込んだ空気を排気するための排気口２８７が設けられている。
【００４３】
排気部２８５は、排気口２８７に連結し、その内部に図示しない軸流ファン等の排気ファンを備えている。
【００４４】
図４に示すように、第一ボックス２８１は横向き配置され、一方の第二ボックス２８６は縦向き配置されている。また、第一ボックス２８１及び第二ボックス２８６は、断面略Ｌ字状になるように接合され（ボックス体）、かかるボックス体内部は、吸気口２８２及び排気口２８７を除き略密閉状態（略気密状態）となっている。
【００４５】
以上の構成の下、排気部２８５の排気ファンを作動させると、図４（イ）及び（ロ）に示すように、第一ボックス２８１の吸気口２８２から第二ボックス２８６の排気口２８７に向かう気流（矢印Ａ）が生じる。即ち、外気が、吸気口２８２から取り込まれ、前記ボックス体内に充満し、そして、排気口２８７から排気されることになる。
【００４６】
これにより、前記ボックス体内に収容されている第一制御基板２８３及び第二制御基板２８８は、確実に空冷されることになる。
【００４７】
また、図５に示すように、前記排気ファンは、排気部２８５（排気口２８７）から第三区画５０２に配設される搬送系２０３（感光材料搬送機構）側に向かわせる気流も生じさせるため、前記感光材料搬送機構も効率的に空冷されることになる。さらに、前記排気ファンは、第三区画５０２内に一定以上の空気圧（正圧）を生じさせるので、結果として、現像処理部３０の現像処理液槽３０１から発生するガスの流入が確実に防止されることになる。
【００４８】
尚、排気口２８７から排気された空気は、感光材料Ｐを搬送するための連通孔等を介して現像処理装置Ｇ側へと流入し、該現像処理装置Ｇが備える図示しないガス排気用のファンにより外部に排気される。
【００４９】
以上のように、本実施形態の写真処理装置１によれば、露光処理部２０に係る各種処理を制御するための第一制御基板２８３及び第二制御基板２８８を効率的に冷却し、加えて、感光材料搬送機構である搬送系２０３の過剰な温度上昇を確実に防止することができる。また、排気部２８５の排気ファンは、室内（筐体２の第三区画５０２内）に設置されるため、その作動音（回転音や風切り音等）が外部に漏れ難くなり、従来に比べ、静音性が図れる。さらに前記排気ファンは、前記室内を正圧化するファンとしても機能するため、従来のように専用ファンを内部に設ける必要がなく、より一層の静音化が図れ、省電力化も図れる。
【００５０】
尚、本発明は、上記実施形態に限定されることはなく、本発明の要旨を逸脱しない範囲で種々の変更が可能である。
【００５１】
例えば、露光処理装置Ｒに温度制御用の排気手段を更に設け、露光処理装置Ｒ（より詳細には、筐体２の第三区画内）の温度に応じて、直接、第三区画内の空気を外部に排気できる構成にしてもよい。前記排気手段は、例えば、温度センサ等の検出温度に基づいて制御可能な排気ファンや、前記検出温度に基づいて排気口を開閉制御可能なシャッタ部材等で構成することが可能である。この場合の排気ファンは、従来の写真処理装置の空冷用の排気ファンより小型なものでよいため、たとえ、かかる温度制御用の排気ファンを設けたとしても、従来の写真処理装置に比べ、依然として静音性や省電力性に優れることに変わりはない。
【図面の簡単な説明】
【００５２】
【図１】本発明の一実施形態に係る写真処理装置の全体正面図である。
【図２】同実施形態に係る写真処理装置の概略構成図である。
【図３】同実施形態に係る露光処理装置の筐体の概略斜視図である。
【図４】同実施形態において、ボックス体の構成及び該ボックス体内に生じる気流の様子を示す概略図であり、（イ）はその斜視図、（ロ）は側面図である。
【図５】同実施形態に係る露光処理装置の筐体（第三区画）内に生じる気流の様子を示す概略斜視図である。
【符号の説明】
【００５３】
１…写真処理装置、２…筐体、３…筐体、４…補助筐体、１０…制御部、２０…露光処理部、３０…現像処理部、４０…乾燥処理部、２８０…吸気部、２８１…第一ボックス、２８２…吸気口、２８３…第一制御基板、２８５…排気部、２８６…第二ボックス、２８７…排気口、２８８…第二制御基板
【図１】
2007163572.tif 000003
【図２】
2007163572.tif 000004
【図３】
2007163572.tif 000005
【図４】
2007163572.tif 000006
【図５】
2007163572.tif 000007